(57)【要約】【課題】  インターホン子機からの呼び出しに対して、インターホン親機とは別に応答可能とした電話端末或いは携帯端末においても、呼出音の鳴動に合わせて来訪者映像を出画できるテレビインターホンシステムを提供する。【解決手段】  ＩＰ変換アダプタ３をインターホン子機１及びインターホン親機２に接続すると共に、ゲートウェイ６を介して公衆ＩＰ通信網１０に接続されているＳＩＰサーバ７と通信を可能とし、公衆ＩＰ通信網１０を使用してＩＰ通信を実施する携帯端末８とＩＰ変換アダプタ３との間でＩＰ通信を可能とした。ＩＰ変換アダプタ３に携帯端末８の電話番号を記憶する電話番号記憶部４２を設け、携帯端末８に呼出信号を受信したら受信信号を返信すると共に、その後映像信号が送信されたら呼出動作させると共に映像を出画制御する携帯端末制御部を設けた。【選択図】  図１
2009094728.tif 000002
【特許請求の範囲】
【請求項１】
居住者を呼び出して通話する機能及び来訪者を撮像するためのカメラを備えたインターホン子機と、前記インターホン子機からの呼び出しに応答する機能及び前記カメラの撮像映像を出画するモニタを備えたインターホン親機と、前記インターホン子機と前記インターホン親機の双方に接続されて通信信号をＩＰ変換するＩＰ変換アダプタと、映像を出画可能なモニタを備えて公衆電話網に接続された電話端末と、前記ＩＰ変換アダプタに前記電話端末を接続するためのゲートウェイとを備え、
前記ＩＰ変換アダプタは、前記電話端末の電話番号を記憶する電話番号記憶部を有して、前記インターホン子機から呼び出しが成されたら、電話番号に基づく呼出信号を前記ゲートウェイに出力して前記電話端末を呼出制御する一方、前記電話端末には、前記呼出信号を受けて前記ゲートウェイを介して前記ＩＰ変換アダプタに受信信号を返信する呼出・応答制御手段を設け、
更に前記ＩＰ変換アダプタは、前記受信信号を受けて前記カメラが撮像した映像信号を前記ゲートウェイを介して前記電話端末に送信する映像信号制御手段を有する一方、前記呼出・応答制御手段は、前記映像信号を受信したら呼出音を鳴動させると共に受信した映像信号を前記電話端末のモニタに表示させることを特徴とするテレビインターホンシステム。
【請求項２】
前記ＩＰ変換アダプタ及び前記電話端末には、通信信号をＳＩＰ仕様に変換或いは前記インターホン子機又はインターホン親機を制御するためのインターホン制御信号に変換する機能を有し、前記ＩＰ変換アダプタと前記電話端末の間の通信プロトコルとしてＳＩＰを用いることを特徴とする請求項１記載のテレビインターホンシステム。
【請求項３】
呼出音鳴動を受けて前記電話端末が応答操作されると、前記呼出・応答制御手段が前記ゲートウェイを介して前記ＩＰ変換アダプタに応答信号を送信し、前記ＩＰ変換アダプタは、前記応答信号を受けて前記インターホン子機と前記電話端末間の通話路を形成して通話を可能とすることを特徴とする請求項１又は２記載のテレビインターホンシステム。
【請求項４】
前記ＩＰ変換アダプタは、前記応答信号を受信して所定時間経過しても前記電話端末で終話操作が行われない場合に、前記電話端末に対して切断信号を送信する通話路制御手段を有し、通話状態が所定時間継続したら通話路を切断して前記電話端末を待受状態に移行させることを特徴とする請求項３記載のテレビインターホンシステム。
【請求項５】
前記通話路制御手段は、前記呼出信号及び前記映像信号を送信して所定時間経過しても前記電話端末で応答操作が行われない場合には、前記電話端末に対して切断信号を送信し、前記電話端末を呼出状態から待受状態に移行させることを特徴とする請求項４記載のテレビインターホンシステム。
【請求項６】
前記電話端末は、前記インターホン子機を起動させる所定の信号を前記ＩＰ変換アダプタに送出するモニタ操作部を有し、
前記所定の信号が送出されたら、前記ＩＰ変換アダプタが受信した前記所定の信号を前記インターホン子機が受信可能な起動信号に変換して前記インターホン子機に送信し、
前記起動信号を受けた前記インターホン子機が、前記カメラの撮像映像及びマイクが収音した送話音を、前記電話端末に送信することを特徴とする請求項１乃至５の何れかに記載のテレビインターホンシステム。
【請求項７】
前記ＩＰ変換アダプタには複数のインターホン子機が接続されると共に、前記電話端末はモニタする前記インターホン子機を選択するモニタ選択操作部を有し、起動させるインターホン子機を選択できることを特徴とする請求項６記載のテレビインターホンシステム。
【請求項８】
モニタ無し電話端末が前記ゲートウェイに接続されて成り、前記モニタ無し電話端末は前記呼出信号を受けて呼出音を鳴動するが、前記映像信号を破棄して応答を可能とする呼出・応答制御手段を有することを特徴とする請求項１記載のテレビインターホンシステム。
【請求項９】
居住者を呼び出して通話する機能及び来訪者を撮像するためのカメラを備えたインターホン子機と、前記インターホン子機からの呼び出しに応答する機能及び前記カメラの撮像映像を出画するモニタを備えたインターホン親機と、前記インターホン子機と前記インターホン親機の双方に接続されて通信信号をＩＰ変換するＩＰ変換アダプタと、公衆ＩＰ通信網に前記インターホン子機及びインターホン親機を接続するためのサーバと、前記サーバと前記ＩＰ変換アダプタの通信を可能とするゲートウェイと、前記公衆ＩＰ通信網に接続可能であって映像を出画可能なモニタを備えた携帯端末とを備え、
前記ＩＰ変換アダプタには、前記携帯端末の電話番号を記憶する電話番号記憶部を有して、前記インターホン子機から呼び出しが成されたら、前記電話番号に基づく呼出信号を前記ゲートウェイに出力して、公衆ＩＰ通信網を介して前記携帯端末を呼出制御する一方、前記携帯端末には前記呼出信号を受けて前記公衆ＩＰ通信網、前記ゲートウェイを介して前記ＩＰ変換アダプタに受信信号を返信する呼出・応答制御手段を設け、
更に前記ＩＰ変換アダプタは、前記受信信号を受けて前記カメラが撮像した映像信号を前記ゲートウェイ、公衆ＩＰ通信網を介して前記携帯端末に送信する映像信号制御手段を有する一方、前記呼出・応答制御手段は、前記映像信号を受信したら呼出音を鳴動させると共に受信した撮像映像を前記携帯端末のモニタに出画させることを特徴とするテレビインターホンシステム。
【請求項１０】
前記ＩＰ変換アダプタ及び前記携帯端末には、通信信号をＳＩＰ仕様に変換或いは前記インターホン子機又はインターホン親機を制御するためのインターホン制御信号に変換する機能を有すると共に、前記サーバはＳＩＰサーバであり、前記ＩＰ変換アダプタと前記携帯端末の間の通信プロトコルとしてＳＩＰを用いることを特徴とする請求項９記載のテレビインターホンシステム。
【請求項１１】
呼出音鳴動を受けて前記携帯端末が応答操作されると、前記呼出・応答制御手段が前記公衆ＩＰ通信網、前記ゲートウェイを介して前記ＩＰ変換アダプタに対して応答信号を送信し、前記ＩＰ変換アダプタは、前記応答信号を受けて前記インターホン子機と前記携帯端末間の通話路を形成して通話を可能とすることを特徴とする請求項９又は１０記載のテレビインターホンシステム。
【請求項１２】
前記ＩＰ変換アダプタは、前記応答信号を受信して所定時間経過しても前記携帯端末で終話操作が行われない場合に、前記携帯端末に対して切断信号を送信する通話路制御手段を有し、通話状態が所定時間継続したら通話路を切断して前記携帯端末を待受状態に移行させることを特徴とする請求項１１記載のテレビインターホンシステム。
【請求項１３】
前記通話路制御手段は、前記呼出信号及び前記映像信号を送信して所定時間経過しても前記携帯端末で応答操作を行われない場合には、前記携帯端末に対して切断信号を送信し、前記携帯端末を呼出状態から待受状態に移行させることを特徴とする請求項１２記載のテレビインターホンシステム。
【請求項１４】
前記携帯端末は、前記インターホン子機を起動させる所定の信号を前記ＩＰ変換アダプタに送出するためのモニタ操作部を有し、
前記所定の信号が送出されたら、前記ＩＰ変換アダプタは受信した前記所定の信号を前記インターホン子機が受信可能な起動信号に変換して前記インターホン子機に送信し、
前記起動信号を受けた前記インターホン子機が、前記カメラの撮像映像及びマイクが収音した送話音を、前記携帯端末に送信することを特徴とする請求項９乃至１３の何れかに記載のテレビインターホンシステム。
【請求項１５】
前記ＩＰ変換アダプタには複数のインターホン子機が接続されると共に、前記携帯端末はモニタする前記インターホン子機を選択するモニタ選択操作部を有し、起動させるインターホン子機を選択できることを特徴とする請求項１４記載のテレビインターホンシステム。
【発明の詳細な説明】
【技術分野】
【０００１】
本発明は、来訪者からの呼び出しに対して来訪者映像を見ながら応答できるテレビインターホンシステムに関し、特に専用の親機以外でも応答できるテレビインターホンシステムに関する。
【背景技術】
【０００２】
従来より、玄関に設置されたインターホン子機を来訪者が操作して住戸内に設置されたインターホン親機に呼び出しをかけ、呼び出しに応答した居住者は来訪者映像を見ながら通話できるテレビインターホンシステムにおいて、携帯電話等の電話を接続してインターホン子機から呼び出しがなされたら、インターホン親機以外の電話に呼び出しがかかり、電話により応答ができるシステムがある（例えば、特許文献１参照）。
【特許文献１】特開２００４−２３６０８３号公報
【発明の開示】
【発明が解決しようとする課題】
【０００３】
しかしながら、インターホン親機以外の機器でも応答できる従来のシステムは、来訪者映像を見ながらの応答が可能であっても、呼出音が鳴動に合わせて映像が表示されることはなく、通話ボタン等が操作されて通話路が形成されて初めて来訪者映像が表示された。
そのため、インターホン親機から応答する場合は、呼出音の報音に合わせてモニタに来訪者映像が表示されるため、この映像を見て来訪者を確認した後、通話ボタンを操作して応答するといった操作ができたのに対し、応答したくない来訪者の場合でも応答してしまうといった問題があった。
【０００４】
そこで、本発明はこのような問題点に鑑み、インターホン子機からの呼び出しに対して、インターホン親機とは別に応答可能とした電話端末或いは携帯端末においても、呼出音の鳴動に合わせて来訪者映像を出画できるテレビインターホンシステムを提供することを目的とする。
【課題を解決するための手段】
【０００５】
上記課題を解決する為に、請求項１に記載の発明は、居住者を呼び出して通話する機能及び来訪者を撮像するためのカメラを備えたインターホン子機と、インターホン子機からの呼び出しに応答する機能及びカメラの撮像映像を出画するモニタを備えたインターホン親機と、インターホン子機とインターホン親機の双方に接続されて通信信号をＩＰ変換するＩＰ変換アダプタと、映像を出画可能なモニタを備えて公衆電話網に接続された電話端末と、ＩＰ変換アダプタに電話端末を接続するためのゲートウェイとを備え、ＩＰ変換アダプタは、電話端末の電話番号を記憶する電話番号記憶部を有して、インターホン子機から呼び出しが成されたら、電話番号に基づく呼出信号をゲートウェイに出力して電話端末を呼出制御する一方、電話端末には、呼出信号を受けてゲートウェイを介してＩＰ変換アダプタに受信信号を返信する呼出・応答制御手段を設け、更にＩＰ変換アダプタは、受信信号を受けてカメラが撮像した映像信号をゲートウェイを介して電話端末に送信する映像信号制御手段を有する一方、呼出・応答制御手段は、映像信号を受信したら呼出音を鳴動させると共に受信した映像信号を電話端末のモニタに表示させることを特徴とする。
この構成によれば、モニタ付の電話端末において、インターホン子機から呼び出しが成されたら呼出報音すると同時に来訪者映像をモニタに出画させることができ、応答操作することなく映像で来訪者を確認することができる。
【０００６】
請求項２の発明は、請求項１に記載の発明において、ＩＰ変換アダプタ及び電話端末には、通信信号をＳＩＰ仕様に変換或いはインターホン子機又はインターホン親機を制御するためのインターホン制御信号に変換する機能を有し、ＩＰ変換アダプタと電話端末の間の通信プロトコルとしてＳＩＰを用いることを特徴とするもので、この構成により既存のインターホンを使用して電話端末との間で音声／映像の伝送を実現できる。
【０００７】
請求項３の発明は、請求項１又は２に記載の発明において、呼出音鳴動を受けて電話端末が応答操作されると、呼出・応答制御手段がゲートウェイを介してＩＰ変換アダプタに応答信号を送信し、ＩＰ変換アダプタは、応答信号を受けてインターホン子機と電話端末間の通話路を形成して通話を可能とすることを特徴とするもので、この構成によりインターホン子機からの呼び出しに対して電話端末から応答することができ、来訪者映像を見ながら通話できる。
【０００８】
請求項４の発明は、請求項３に記載の発明において、ＩＰ変換アダプタは、応答信号を受信して所定時間経過しても電話端末で終話操作が行われない場合に、電話端末に対して切断信号を送信する通話路制御手段を有し、通話状態が所定時間継続したら通話路を切断して電話端末を待受状態に移行させることを特徴とする。
この構成によれば、インターホン子機との間で通話路を形成した電話端末が一定時間経過しても終話操作されなければ、電話端末は自動で待受け状態に戻るため、利便性が良い。
【０００９】
請求項５の発明は、請求項４に記載の発明において、通話路制御手段は、呼出信号及び映像信号を送信して所定時間経過しても電話端末で応答操作が行われない場合には、電話端末に対して切断信号を送信し、電話端末を呼出状態から待受状態に移行させることを特徴とする。
この構成によれば、インターホン子機からの呼出状態となっている時に、電話端末で一定時間応答することがなければ待受け状態に戻るので利便性が良い。
【００１０】
請求項６の発明は、請求項１乃至５の何れかに記載の発明において、電話端末は、インターホン子機の少なくともカメラを起動させる所定の信号を前記ＩＰ変換アダプタに送出するモニタ操作部を有し、所定の信号が送出されたら、ＩＰ変換アダプタが受信した所定の信号をインターホン子機が受信可能な起動信号に変換して前記インターホン子機に送信し、起動信号を受けたインターホン子機が、カメラの撮像映像及びマイクが収音した送話音を、電話端末に送信することを特徴とする。
この構成によれば、電話端末側の操作でインターホン子機を起動し、撮像映像の出画及び送話音の報音を行うことができるので、インターホン親機以外でも玄関等の監視をすることができる。
【００１１】
請求項７の発明は、請求項６に記載の発明において、ＩＰ変換アダプタには複数のインターホン子機が接続されると共に、電話端末はモニタするインターホン子機を選択するモニタ選択操作部を有し、起動させるインターホン子機を選択できることを特徴とする。
この構成によれば、電話端末からモニタ選択操作としてのテンキー等の操作によりＩＰ変換アダプタの内線番号を選択することで、インターホン子機のカメラを選択できるので、複数のインターホン子機を備えていても夫々のカメラ映像をインターホン親機以外から確認でき利便性が良い。
【００１２】
請求項８の発明は、請求項１に記載の発明において、モニタ無し電話端末がゲートウェイに接続されて成り、モニタ無し電話端末は呼出信号を受けて呼出音を鳴動するが、映像信号を破棄して応答を可能とする呼出・応答制御手段を有することを特徴とする。
この構成によれば、電話端末において映像を出画する機能が無くても、カメラ付インターホン子機からの呼び出しに対して良好に応答できる。
【００１３】
請求項９の発明は、居住者を呼び出して通話する機能及び来訪者を撮像するためのカメラを備えたインターホン子機と、インターホン子機からの呼び出しに応答する機能及びカメラの撮像映像を出画するモニタを備えたインターホン親機と、インターホン子機とインターホン親機の双方に接続されて通信信号をＩＰ変換するＩＰ変換アダプタと、公衆ＩＰ通信網にインターホン子機及びインターホン親機を接続するためのサーバと、サーバとＩＰ変換アダプタの通信を可能とするゲートウェイと、公衆ＩＰ通信網に接続可能であって映像を出画可能なモニタを備えた携帯端末とを備え、ＩＰ変換アダプタには、携帯端末の電話番号を記憶する電話番号記憶部を有して、インターホン子機から呼び出しが成されたら、電話番号信号に基づく呼出信号をゲートウェイに出力して、公衆ＩＰ通信網を介して携帯端末を呼出制御する一方、携帯端末には呼出信号を受けて公衆ＩＰ通信網、ゲートウェイを介してＩＰ変換アダプタに受信信号を返信する呼出・応答制御手段を設け、更にＩＰ変換アダプタは、受信信号を受けてカメラが撮像した映像信号をゲートウェイ、公衆ＩＰ通信網を介して携帯端末に送信する映像信号制御手段を有する一方、呼出・応答制御手段は、映像信号を受信したら呼出音を鳴動させると共に受信した撮像映像を携帯端末のモニタに出画させることを特徴とする。
この構成によれば、インターホン子機から呼び出しが成されて携帯端末において呼出報音した際に、所定の受信操作により通話路形成前に来訪者映像を携帯端末のモニタに出画させることができ、居住者は応答する前に携帯端末で来訪者を映像で確認することができる。
【００１４】
請求項１０の発明は、請求項９に記載の発明において、ＩＰ変換アダプタ及び携帯端末には、通信信号をＳＩＰ仕様に変換或いはインターホン子機又はインターホン親機を制御するためのインターホン制御信号に変換する機能を有すると共に、サーバはＳＩＰサーバであり、ＩＰ変換アダプタと携帯端末の間の通信プロトコルとしてＳＩＰを用いることを特徴とするもので、この構成により既存のインターホンを使用して携帯端末との間で音声／映像の伝送を実現できる。
【００１５】
請求項１１の発明は、請求項９又は１０に記載の発明において、呼出音鳴動を受けて携帯端末が応答操作されると、呼出・応答制御手段が公衆ＩＰ通信網、ゲートウェイを介してＩＰ変換アダプタに対して応答信号を送信し、ＩＰ変換アダプタは、応答信号を受けてインターホン子機と携帯端末間の通話路を形成して通話を可能とすることを特徴とするもので、この構成によりインターホン子機からの呼び出しに対して携帯電話から来訪者映像を見ながら応答でき、便利である。
【００１６】
請求項１２の発明は、請求項１１に記載の発明において、ＩＰ変換アダプタは、応答信号を受信して所定時間経過しても携帯端末で終話操作が行われない場合に、携帯端末に対して切断信号を送信する通話路制御手段を有し、通話状態が所定時間継続したら通話路を切断して携帯端末を待受状態に移行させることを特徴とする。
この構成によれば、インターホン子機との間で通話路を形成した携帯端末が一定時間経過しても終話操作されなければ、携帯端末は自動で待受け状態に戻るため、利便性が良い。
【００１７】
請求項１３の発明は、請求項１２に記載の発明において、通話路制御手段は、呼出信号及び映像信号を送信して所定時間経過しても携帯端末で応答操作を行われない場合には、携帯端末に対して切断信号を送信し、携帯端末を呼出状態から待受状態に移行させることを特徴とする。
この構成によれば、インターホン子機からの呼出状態となっている時に、携帯端末で一定時間応答することがなければ待受け状態に戻るので利便性が良い。
【００１８】
請求項１４の発明は、請求項９乃至１３の何れかに記載の発明において、携帯端末は、インターホン子機のカメラを起動させる所定の信号をＩＰ変換アダプタに送出するためのモニタ操作部を有し、所定の信号が送出されたら、ＩＰ変換アダプタは受信した所定の信号をインターホン子機が受信可能な起動信号に変換してインターホン子機に送信し、起動信号を受けたインターホン子機が、カメラの撮像映像及びマイクが収音した送話音を、前記携帯端末に送信することを特徴とする。
この構成によれば、携帯端末側の操作でインターホン子機を起動でき、撮像映像及び送話音を携帯端末が受信できるので、インターホン親機以外でも玄関等の監視をすることができる。
【００１９】
請求項１５の発明は、請求項１４に記載の発明において、ＩＰ変換アダプタには複数のインターホン子機が接続されると共に、携帯端末はモニタするインターホン子機を選択するモニタ選択操作部を有し、起動させるインターホン子機を選択できることを特徴とする。
この構成によれば、携帯端末でモニタするインターホン子機のカメラを選択できるので、複数のインターホン子機を備えていても夫々のカメラ撮像映像をインターホン親機以外で確認でき、利便性が良い。
【発明の効果】
【００２０】
本発明によれば、モニタ付の電話端末或いは携帯端末において、インターホン子機から呼び出しが成されたら呼出報音すると同時に来訪者映像をモニタに出画させることができる。よって、応答しなくても映像で来訪者を確認することができるし、応答操作すれば来訪者映像を見ながら通話できる。
【発明を実施するための最良の形態】
【００２１】
以下、本発明を具体化した実施の形態を、図面に基づいて詳細に説明する。図１は本発明に係るテレビインターホンシステムの構成図の一例を示し、１は居住者を呼び出して通話するためのインターホン子機（第１インターホン子機１ａと第２インターホン子機１ｂ）、２はインターホン子機１からの呼び出しに応答するためのインターホン親機、３は通信信号をＩＰ変換（Internet Protocolに変換）或いはその逆変換を行うＩＰ変換アダプタ、４ａ，４ｂは携帯電話網Ｐに接続され外部と通話するための電話端末、６はＩＰ変換アダプタ３に電話端末４ａ，４ｂや他の機器を接続するためのゲートウェイ、７はサーバ管理業者に備えられて交換機能を有し、ＳＩＰ（Session Initiation Protocol）仕様に基づいてデータのやり取りを行なうＳＩＰサーバ、８は居住者が携行する携帯端末、９は携帯端末８と通信するために携帯電話網Ｐ上に設けられている基地局である。尚、携帯電話網Ｐと公衆ＩＰ通信網１０とは連携され、相互通信が可能となっている。
【００２２】
第１及び第２の２台のインターホン子機１ａ，１ｂは、玄関等の住戸外に設置されて来訪者を撮像するためのカメラ１２、呼出ボタン１３、マイク及びスピーカを備えた通話部（図示せず）を有している。また、居室内に設置されたインターホン親機２は、カメラ１２の撮像映像を出画するためのモニタ１４、応答するための通話ボタン１５、マイク及びスピーカを備えた通話部（図示せず）を有している。両者はＩＰ変換アダプタ３を介して伝送線Ｌ１で接続されている。
【００２３】
一方、電話端末４ａ、４ｂは、一方が映像を出画可能なモニタ１６を備えたモニタ付電話端末４ａ、他方がモニタ無し電話端末４ｂであり、双方ともゲートウェイ６に伝送線Ｌ２で接続されている。ゲートウェイ６は、公衆ＩＰ通信網１０に通信線Ｌ４を介して接続され、公衆ＩＰ通信網１０上に配置されているＳＩＰサーバ７にアクセスできるよう構成されている。
【００２４】
モニタ付電話端末４ａは、図２の回路ブロック図に示すように構成されている。即ち、ゲートウェイ６と通信を行うための送受信回路２０、呼出音を発生するリンガー回路２１、ハンドセット２２による通話を可能とする通話回路２３、通話路を形成／切断する通話路スイッチ２４、電話を掛ける際に操作するダイヤルボタン２５、呼出信号を発生させるダイヤラー回路２６、受信した映像信号を復調等処理する映像処理回路２７、映像を出画するためのモニタ１６、電話端末を制御するＣＰＵを備えた電話端末制御部２８を具備している。尚、モニタ無し電話端末４ｂは、映像処理回路及びモニタが無い点以外はモニタ付電話端末４ａと同様の構成となっている。
【００２５】
更に携帯端末８は、図３の回路ブロック図に示すように構成されている。即ち、基地局９と通信するためのアンテナ３１を備えた送受信回路３２、呼出音を発生するリンガー回路３３、マイク３４ａ及びスピーカ３４ｂを制御する通話回路３４、呼び出しに応答するための通話ボタン３５、通話路を形成／切断する通話路スイッチ３６、電話を掛ける等各種操作を行うための操作部３７、受信した映像信号を復調等処理する映像処理回路３８、映像を出画するためのモニタ３９、携帯端末を制御するＣＰＵからなる携帯端末制御部４０を具備している。
【００２６】
このように構成されたテレビインターホンシステムの呼び出し／応答動作を以下説明する。尚、図１に示すように、ＩＰ変換アダプタ３は、インターホン子機１、インターホン親機２、電話端末４ａ，４ｂ、携帯端末８の夫々の電話番号を記憶する記憶部４２を有し、呼出制御や接続制御する際、ＩＰ変換アダプタ制御部４３が電話番号に基づくＳＩＰ使用の呼出信号を生成して接続制御を実施する。また、ゲートウェイ６は、接続された機器に適合するよう設定されたホームゲートウェイであり、玄関端末１から伝送された映像信号を出力する際に、呼出対象のモニタ特性に合わせて映像の解像度等を制御して出力する。
【００２７】
まず、インターホン子機１の呼出操作を受けてモニタ付電話端末４ａで応答する動作を図４の動作シーケンス図に基づいて説明する。来訪者等によりインターホン子機１の呼出ボタン１３が押されると、呼出信号（Ｓ１）がＩＰ変換アダプタ３に伝送される。この呼出信号はＩＰ変換アダプタ３においてモニタ付電話端末４ａを呼び出すＳＩＰ仕様呼出信号（Ｓ２）に変換されて、ゲートウェイ６を介してモニタ付電話端末４ａに送信される。ＳＩＰ仕様呼出信号（Ｓ２）を受信したモニタ付電話端末４ａでは、電話端末制御部２８の制御によりＳＩＰ仕様受信信号（Ｓ３）が生成され、ゲートウェイ６を介してＩＰ変換アダプタ３に返信される。この返信を受けてＩＰ変換アダプタ３は、インターホン子機１から伝送された呼出音／音声／映像信号（Ｓ４）を、ゲートウェイ６を介してモニタ付電話端末４ａへ送信し、片方向通話路／映像路を形成する。こうして、モニタ付電話端末４ａが呼出状態となり、通話前にモニタ１６にカメラ１２の撮像映像が出画される。
【００２８】
この呼出動作を受けて、居住者によりモニタ付電話端末４ａのハンドセット２２を取り上げる等の通話操作が行なわれると、モニタ付電話端末４ａからＳＩＰ仕様応答信号（Ｓ５）が送信され、ゲートウェイ６を介してＩＰ変換アダプタ３に送られる。ＩＰ変換アダプタ３は、受信したＳＩＰ仕様応答信号をインターホン子機１で受信可能な応答信号（Ｓ６）に変換してインターホン子機１に伝送する。こうして、インターホン子機１とモニタ付電話端末４ａの間で双方向通話路が形成されて通話状態（Ｓ７）となり、居住者はモニタ付電話端末４ａのモニタ映像を見ながら来訪者と通話を実施できる。
【００２９】
その後、通話状態を終了させる為にモニタ付電話端末４ａのハンドセット２２を置く等の終話操作を行うと、ＳＩＰ仕様切断信号（Ｓ８）がゲートウェイ６を介してＩＰ変換アダプタ３に伝送される。このＳＩＰ仕様切断信号は、ＩＰ変換アダプタ３によってインターホン子機１で受信可能な切断信号（Ｓ９）に変換されて、インターホン子機１に送られる。同時にＩＰ変換アダプタ３から、ＳＩＰ仕様切断応答信号（Ｓ１０）がゲートウェイ４を介してモニタ付電話端末４ａに伝送され、インターホン子機１とモニタ付電話端末４ａ間の通話路、映像路が切断されて待受け状態に戻る。
但し、ＩＰ変換アダプタ３は、通話状態（Ｓ７）中に例えば１０分等の所定時間が経過、又は呼出音／音声／映像信号（Ｓ４）を送信している呼出状態中に例えば２分等の所定時間が経過すると、終話操作された時と同じ動作を実施してモニタ付電話端末４ａは待受け状態となる。
【００３０】
このように、モニタ付の電話端末に、インターホン子機から呼び出しが成されたら呼出報音すると同時に来訪者映像をモニタに出画させることができ、応答操作することなく映像で来訪者を確認することができる。そして、来訪者映像を見ながら電話端末で応答することができ、インターホン親機と同様に操作でき便利である。
また、インターホン子機との間で通話路を形成した電話端末が一定時間経過しても終話操作されなければ、電話端末は自動で待受け状態に戻るし、インターホン子機からの呼出状態となっている時に、電話端末で一定時間応答することがなければ待受け状態に戻るので利便性が良い。
更に、ＩＰ変換アダプタと電話端末の間の通信プロトコルとしてＳＩＰを用いることで、既存のインターホンを使用して電話端末との間で音声／映像の伝送を実現できる。
【００３１】
次に、モニタ付電話端末４ａ操作によるインターホン子機１を起動させてモニタするモニタ動作を図５のシーケンス図を元に説明する。まず、モニタ付電話端末４ａに予め設定されているＩＰ変換アダプタ３の内線番号をテンキー等を操作して選択し、第１インターホン子機１ａを選択する。この操作によりＳＩＰ仕様モニタ信号（Ｓ１５）が生成され、モニタ付電話端末４ａからゲートウェイ６を介してＩＰ変換アダプタ３に送信される。
ＩＰ変換アダプタ３は、このＳＩＰ仕様モニタ信号を受けてインターホン制御信号に変換し、選択された第１インターホン子機１ａに起動信号を生成して送信すると共に、第１インターホン子機１ａからの音声／映像信号（Ｓ１６）をゲートウェイ６を介してモニタ付電話端末４ａに送信できるように片方向通話路／映像路を形成する。こうして、モニタ付電話端末４ａにおいて、第１インターホン子機１ａのカメラ撮像映像を出画すると共に、送話音を報音するモニタ状態になる。
【００３２】
その後、モニタ付電話端末４ａのテンキー等の所定のボタン操作で子機切替操作を行なうと、モニタ付電話端末４ａからＰＢ信号等の子機切替信号（Ｓ１７）がゲートウェイ６に送信される。ゲートウェイ６は、この子機切替信号をＩＰ変換アダプタ３に送信し、ＩＰ変換アダプタ３は、第１インターホン子機１ａからの音声／映像信号を終了させて片方向通話路を切断すると共に、第２インターホン子機１ｂからの音声／映像信号（Ｓ１８）をゲートウェイ６を介してモニタ付電話端末４ａに送信できるように片方向通話路／映像路を形成する。こうして、第２インターホン子機１ｂに切り替えて撮像映像の出画及び送話音を報音するモニタ状態になる。
【００３３】
このモニタ状態の終了は、上記通話の終了と同様である。即ち、通話状態を終了させる為にモニタ付電話端末４ａで終話操作すると、ＳＩＰ仕様切断信号（Ｓ８）がゲートウェイを介してＩＰ変換アダプタに伝送される。このＳＩＰ仕様切断信号は、ＩＰ変換アダプタによってインターホン子機１で受信可能な切断信号（Ｓ９）に変換され、インターホン子機１に伝送される。同時にＩＰ変換アダプタは、ＳＩＰ仕様切断応答信号（Ｓ１０）を生成してゲートウェイ６を介してモニタ付電話端末４ａに伝送する。こうしてインターホン子機１とモニタ付電話端末４ａ間の通話路、映像路が切断されて待受け状態に戻る。
【００３４】
このように、電話端末側の操作でインターホン子機カメラの撮像映像をモニタできるし、送話音を報音できる。また、電話端末からインターホン子機のカメラを選択できるので、複数のインターホン子機を備えていても夫々のカメラ映像をインターホン親機以外から確認でき利便性が良く、セキュリティの向上を図ることができる。
【００３５】
尚、インターホン子機１からの呼び出しをモニタ無し電話端末４ｂで応答する場合、動作シーケンスは上述したモニタ付電話端末４ａと同様である。但し、モニタ無し電話端末４ｂは、インターホン子機１からの映像信号を受信した時には、自身の電話端末制御部２８の制御により映像信号が破棄されて通話のみ可能となる。従って、電話端末において映像を出画する機能が無くても、カメラ付インターホン子機からの呼び出しに対して良好に応答できる。
【００３６】
インターホン子機１からの呼び出しを携帯端末８で応答する場合は以下のようである。図６はこの場合の動作シーケンス図であり、この図に基づいて順に説明する。来訪者等によりインターホン子機１の呼出ボタン１３が押されると、呼出信号（Ｓ２１）がＩＰ変換アダプタ３に伝送される。この呼出信号はＩＰ変換アダプタ３においてＳＩＰ仕様呼出信号（Ｓ２２）に変換されて、ゲートウェイ６、公衆ＩＰ通信網１０を介してＳＩＰサーバ７に送信される。ＳＩＰサーバ７は、携帯電話網Ｐに対して携帯端末呼出信号（Ｓ２２１）を送信し、携帯端末８に呼び出しが成される（電話がかかる）。
【００３７】
呼び出しを受けた携帯端末８を「♯」ボタンを押す等の所定の受信操作すると、携帯端末制御部４０の制御により携帯端末受信信号（Ｓ２３１）がＳＩＰサーバ７に送信される。ＳＩＰサーバ７は、受信した携帯端末受信信号をＳＩＰ仕様受信信号（Ｓ２３）に変換してゲートウェイ６を介してＩＰ変換アダプタに返信する。この返信を受けて、ＩＰ変換アダプタ３は片方向通話路／映像路を形成し、インターホン子機１から音声／映像信号（Ｓ２４）を、ゲートウェイ６を介して携帯端末８へ送信させる。こうして携帯端末８が呼出状態となる。
【００３８】
このときに、携帯端末８で通話操作を行なうと、携帯端末制御部４０の制御により携帯端末応答信号（Ｓ２５１）がＳＩＰサーバ７に送信される。ＳＩＰサーバ７は、受信した携帯端末応答信号をＳＩＰ仕様応答信号（Ｓ２５）に変換して、ゲートウェイ６を介してＩＰ変換アダプタ３に送信する。ＩＰ変換アダプタ３は、受信したＳＩＰ仕様応答信号を、インターホン子機１で受信可能な応答信号（Ｓ２６）に変換してインターホン子機１に伝送する。こうして、インターホン子機１と携帯端末８の間で双方向通話路が形成されて通話状態（Ｓ２７）となる。
【００３９】
その後、携帯端末８で終話操作を行うと、携帯端末切断信号（Ｓ２８１）がＳＩＰサーバ７に送信される。ＳＩＰサーバは、受信した携帯端末切断信号をＳＩＰ仕様切断信号（Ｓ２８）に変換してゲートウェイ６を介してＩＰ変換アダプタ３に伝送する。このＳＩＰ仕様切断信号は、ＩＰ変換アダプタ３によってインターホン子機１で受信可能な切断信号（Ｓ２９）に変換されて、インターホン子機１に送られる。同時にＩＰ変換アダプタ３からＳＩＰ仕様切断応答信号（Ｓ３０）が、ゲートウェイ６、公衆ＩＰ通信網１０を介してＳＩＰサーバ７に送信される。ＳＩＰサーバ７は、携帯電話網Ｐに対して携帯端末切断応答信号（Ｓ３０１）を送信し、インターホン子機１と携帯端末８の間の通話路、映像路が切断されて待受け状態に戻る。
但し、ＩＰ変換アダプタ３は、通話状態（Ｓ２７）中に、例えば１０分等の所定時間が経過、又は呼出音／音声／映像信号（Ｓ２４）を送信している呼出状態中に、例えば２分等の所定時間が経過すると、終話操作された時と同じ動作を実施して携帯端末８は待受け状態となる。
【００４０】
次に、携帯端末８の操作によるインターホン子機１を起動させてモニタするモニタ動作を図７のシーケンス図を基に説明する。まず、携帯端末８に予め設定されているＩＰ変換アダプタ３の内線番号から、第１インターホン子機１ａを起動させる内線番号をテンキー等を操作して選択する。この操作により、携帯端末制御部４０の制御により携帯端末モニタ信号（Ｓ３５１）が生成され、ＳＩＰサーバ７に送信される。ＳＩＰサーバ７は、受信した携帯端末モニタ信号をＳＩＰ仕様モニタ信号（Ｓ３５）に変換し、ゲートウェイ６を介してＩＰ変換アダプタ３に送信する。このＳＩＰ仕様モニタ信号を受けて、ＩＰ変換アダプタ３はインターホン制御信号に変換し、選択された第１インターホン子機１ａに起動信号を送信すると共に、第１インターホン子機１ａからの音声／映像信号（Ｓ３６）をゲートウェイ６を介して携帯端末８に送信できるように片方向通話路／映像路を形成する。こうして、第１インターホン子機１ａのカメラ撮像映像を出画すると共に、送話音を報音するモニタ状態になる。
【００４１】
その後、携帯端末８の所定のボタン操作で子機切替操作を行なうと、携帯端末８からＰＢ信号等の携帯端末子機切替信号（Ｓ３７１）が送信され、ＳＩＰサーバ７にて受信される。ＳＩＰサーバ７は、受信した携帯端末子機切替信号をＳＩＰ仕様子機切替信号（Ｓ３７）に変換して、ゲートウェイ６を介してＩＰ変換アダプタ３に送信する。ＩＰ変換アダプタ３は、第１インターホン子機１ａからの音声／映像信号を終了させて片方向通話路を切断すると共に、第２インターホン子機１ｂからの音声／映像信号（Ｓ３８）をゲートウェイ６を介して携帯端末８に送信できるように片方向通話路／映像路を形成する。こうして、第２インターホン子機１ｂに切り替えて撮像映像の出画及び送話音の報音を行うモニタ状態になる。
【００４２】
このモニタ状態の終了は、上記通話の終了と同様である。即ち、通話状態を終了させる為に携帯端末８で終話操作すると、携帯端末切断信号（Ｓ２８１）がＳＩＰサーバ７に送信される。ＳＩＰサーバ７は、受信した携帯端末切断信号をＳＩＰ仕様切断信号（Ｓ２８）に変換し、ゲートウェイ６を介してＩＰ変換アダプタ３に伝送する。このＳＩＰ仕様切断信号は、ＩＰ変換アダプタ３によってインターホン子機１で受信可能な切断信号（Ｓ２９）に変換され、インターホン子機１に伝送される。同時にＩＰ変換アダプタ３から、ＳＩＰ仕様切断応答信号（Ｓ３０）が、ゲートウェイ６、公衆ＩＰ通信網１０を介してＳＩＰサーバに送信される。ＳＩＰサーバ７は、携帯電話網Ｐに対して携帯端末切断応答信号（Ｓ３０１）を送信し、インターホン子機１と携帯端末８の間の通話路、映像路が切断されて待受け状態に戻る。
【００４３】
このように、携帯端末に、インターホン子機から呼び出しが成されたら呼出報音すると同時に来訪者映像をモニタに出画させることができ、応答操作することなく映像で来訪者を確認することができる。そして、来訪者映像を見ながら携帯端末で応答することができ、インターホン親機と同様に操作でき便利である。
また、インターホン子機との間で通話路を形成した携帯端末が一定時間経過しても終話操作されなければ、携帯端末は自動で待受け状態に戻るし、インターホン子機からの呼出状態となっている時に、携帯端末で一定時間応答することがなければ待受け状態に戻るので利便性が良い。
更に、携帯端末側の操作でインターホン子機を起動させてカメラの撮像映像をモニタして送話音を報音できる。また、携帯端末からインターホン子機のカメラを選択できるので、複数のインターホン子機を備えていても夫々のカメラ映像をインターホン親機以外から確認でき利便性が良く、セキュリティの向上を図ることができる。
また、通信プロトコルとしてＳＩＰを用いることで、既存のインターホンを使用して携帯端末との間で音声／映像の伝送を実現できる。
【００４４】
尚、上記実施形態は、携帯端末８を１台として説明しているが、家族構成に合わせて複数使用することも容易に実施できる。また、上記携帯電話網Ｐとしては、ＦＯＭＡ（登録商標）網等の携帯電話向けテレビ電話プロトコルによる携帯電話網が好適である。
【図面の簡単な説明】
【００４５】
【図１】本発明に係るテレビインターホンシステムの実施形態の一例を示す構成図である。
【図２】図１のモニタ付電話端末の回路ブロック図である。
【図３】図１の携帯端末の回路ブロック図である。
【図４】モニタ付電話端末への呼び出し、通話、終話動作のシーケンス図である。
【図５】モニタ付電話端末をモニタ操作した場合のモニタ動作シーケンス図である。
【図６】携帯端末への呼び出し、通話、終話動作のシーケンス図である。
【図７】携帯端末をモニタ操作した場合のモニタ動作シーケンス図である。
【符号の説明】
【００４６】
１・・インターホン子機、２・・インターホン親機、３・・ＩＰ変換アダプタ、４ａ・・モニタ付電話端末、４ｂ・・モニタ無し電話端末、６・・ゲートウェイ、７・・ＳＩＰサーバ、８・・携帯端末、１０・・ＩＰ通信網、１６・・モニタ、２５・・ダイヤルボタン（モニタ起動操作部、モニタ選択操作部）、２８・・電話端末制御部（呼出・応答制御手段）、３７・・操作部（モニタ起動操作部、モニタ選択操作部）３９・・モニタ、４０・・携帯端末制御部（呼出・応答制御手段）、４２・・記憶部（電話番号記憶部）、４３・・ＩＰ変換アダプタ制御部（映像信号制御手段、通話路制御手段）、Ｐ・・携帯電話網。
【図１】
2009094728.tif 000003
【図２】
2009094728.tif 000004
【図３】
2009094728.tif 000005
【図４】
2009094728.tif 000006
【図５】
2009094728.tif 000007
【図６】
2009094728.tif 000008
【図７】
2009094728.tif 000009